(57)【要約】【課題】  パレット上に取り付けられた支持脚部を有する機器の防振性を高め、大きな振動や衝撃が加わった場合にも、機器が大きく揺動するのを十分に抑制して、機器をパレット上に取り付ける取付部材や機器の取付部分などが変形したり、破損したりするのを防止する。【解決手段】  支持脚部21を有する機器20をパレット10上に取り付けるパレットへの機器取付構造において、上記のパレット上に機器の支持脚部を支持する支持弾性部材13を設けると共に、機器をパレット上に取り付ける取付部材30に上下方向の衝撃を吸収する弾性体35を設けた。【選択図】  図６
2008195425.tif 000002
【特許請求の範囲】
【請求項１】
支持脚部を有する機器をパレット上に取り付けるパレットへの機器取付構造において、上記のパレット上に上記の機器の支持脚部を支持する支持弾性部材を設けると共に、機器をパレット上に取り付ける取付部材に上下方向の衝撃を吸収する弾性体を設けたことを特徴とするパレットへの機器取付構造。
【請求項２】
請求項１に記載のパレットへの機器取付構造において、上記の取付部材が、機器に取り付ける機器取付部と、パレット上に取り付けるパレット取付部とを有し、上記のパレット取付部を、伸縮可能な弾性体を介在させた状態でパレット上に取り付けたことを特徴とするパレットへの機器取付構造。
【請求項３】
請求項２に記載のパレットへの機器取付構造において、上記の取付部材におけるパレット取付部を、パレット上に移動可能に取り付けたことを特徴とするパレットへの機器取付構造。
【請求項４】
請求項１に記載のパレットへの機器取付構造において、上記の取付部材が、機器に取り付ける機器取付部材と、パレット上に取り付けるパレット取付部材と、上記の機器取付部材とパレット取付部材とを連結する連結部材とを有し、この連結部材に対して、上記の弾性体を設けたことを特徴とするパレットへの機器取付構造。
【請求項５】
請求項４に記載のパレットへの機器取付構造において、上記の連結部材に対して、上記の機器取付部材を回動可能に取り付けたことを特徴とするパレットへの機器取付構造。
【発明の詳細な説明】
【技術分野】
【０００１】
本発明は、キャスタ付複写機等の支持脚部を有する機器をパレット上に取り付けるパレットへの機器取付構造に係り、パレット上に取り付けられた機器の防振性を高めると共に、機器をパレット上に取り付ける取付部材や機器の取付部分などが変形したり、破損したりするのを防止するようにした点に特徴を有するものである。
【背景技術】
【０００２】
従来より、キャスタ付複写機等の支持脚部を有する機器をパレット上に取り付けた状態で、搬送させたり、保管させたりすることが行われている。
【０００３】
そして、このようにキャスタ付複写機等の支持脚部を有する機器をパレット上に取り付けるにあたり、近年においては、パレット上面のデッキボードに形成した凹溝部に弾性部材を設けて、この弾性部材の上に機器の支持脚部を載置させ、この弾性部材によって機器の振動などを緩和させるようにする共に、固定部材を機器の下面とデッキボードとにボルト締め又はナット締めによって取り付け、この固定部材によって機器をパレット上に固定させるようにしたものが提案されている（例えば、特許文献１参照。）。
【０００４】
しかし、このように固定部材を機器の下面とデッキボードとにボルト締め又はナット締めによって取り付けて、機器をパレット上に固定させた場合、大きな振動や衝撃が加わると、上記の弾性部材だけでは機器の振動などを十分に緩和させることができず、機器がパレット上において大きく揺動して、上記の固定部材やこの固定部材が取り付けられた機器の部分が変形したり、破損したりするなどの問題があった。
【特許文献１】特開平１０−９５４２９号公報
【発明の開示】
【発明が解決しようとする課題】
【０００５】
本発明は、キャスタ付複写機等の支持脚部を有する機器をパレット上に取り付ける場合における上記のような問題を解決することを課題とするものであり、パレット上に取り付けられた機器の防振性を高め、大きな振動や衝撃が加わった場合にも、機器が揺動するのを十分に抑制して、機器をパレット上に取り付ける取付部材や機器の取付部分などが変形したり、破損したりするのを防止することを課題とするものである。
【課題を解決するための手段】
【０００６】
本発明においては、上記のような課題を解決するため、支持脚部を有する機器をパレット上に取り付けるパレットへの機器取付構造において、上記のパレット上に上記の機器の支持脚部を支持する支持弾性部材を設けると共に、機器をパレット上に取り付ける取付部材に上下方向の衝撃を吸収する弾性体を設けた。
【０００７】
ここで、機器をパレット上に取り付ける取付部材に上下方向の衝撃を吸収する弾性体を設けるにあたっては、機器に取り付ける機器取付部と、パレット上に取り付けるパレット取付部とを有する取付部材を用い、上記のパレット取付部を伸縮可能な弾性体を介在させた状態でパレット上に取り付けることができる。この場合、上記の取付部材におけるパレット取付部を、パレット上に移動可能に取り付けることが好ましい。
【０００８】
また、機器をパレット上に取り付ける取付部材に上下方向の衝撃を吸収する弾性体を設けるにあたっては、機器に取り付ける機器取付部材と、パレット上に取り付けるパレット取付部材と、上記の機器取付部材とパレット取付部材とを連結する連結部材とを有する取付部材を用い、上記の連結部材に対して上記の弾性体を設けるようにすることができる。この場合、上記の連結部材に対して、上記の機器取付部材を回動可能に取り付けることが好ましい。
【発明の効果】
【０００９】
本発明におけるパレットへの機器取付構造においては、上記のように支持脚部を有する機器をパレット上に取り付けるにあたり、上記のパレット上に上記の機器の支持脚部を支持する支持弾性部材を設けると共に、機器をパレット上に取り付ける取付部材に上下方向の衝撃を吸収する弾性体を設けたため、大きな振動や衝撃が加わった場合においても、上記の支持弾性部材及び弾性体によって機器が揺動するのが抑制され、パレット上に取り付けられた機器の防振性が向上すると共に、上記の取付部材やこの取付部材を取り付けた機器の取付部分などが変形したり、破損したりするのが防止されるようになる。
【発明を実施するための最良の形態】
【００１０】
次に、この発明の実施形態に係るパレットへの機器取付構造を添付図面に基づいて具体的に説明する。なお、この発明に係るパレットへの機器取付構造は、下記の実施形態に示したものに限定されず、その要旨を変更しない範囲において適宜変更して実施できるものである。
【００１１】
（実施形態１）
実施形態１においては、図１及び図２に示すように、パレット１０上面に設けられたデッキボード１１に各種の板材１２を取り付けて支持弾性部材１３を装着させるための装着部１４を４つ設け、各装着部１４にそれぞれゴムなどの弾性材料で構成された板状の支持弾性部材１３を装着させている。
【００１２】
また、機器２０としては、図３に示すように、底部にキャスタからなる支持脚部２１が４つ設けられた複写機を用い、この機器２０を上記のパレット１０に取り付けるにあたっては、図４に示すように、機器２０に設けられた各支持脚部２１をそれぞれパレット１０に装着させた各支持弾性部材１３の上に位置させるようにして、図５に示すように、この機器２０を上記のパレット１０上に載置させ、このようにパレット１０上に載置された機器２０を、片側に２つ、合計４つの取付部材３０によってパレット１０上に取り付けるようにしている。
【００１３】
そして、上記の取付部材３０によって機器２０をパレット１０上に取り付けるにあたっては、図６に示すように、略アングル状になった取付部材３０における機器取付部３１を取付ネジ３３によって機器２０の下部に取り付けると共に、取付部材３０におけるパレット取付部３２をパレット１０のデッキボード１１に取り付けるようにしている。
【００１４】
ここで、この実施形態においては、取付部材３０におけるパレット取付部３２をパレット１０のデッキボード１１に取り付けるにあたり、パレット取付部３２を段差状に形成し、その下段部３２ａをデッキボード１１上に当接させると共に、上段部３２ｂの上に、一対のワッシャ３４間にコイルスプリングや環状ゴム体などからなる弾性体３５を挟んだ状態でセットする。そして、取付ボルト３６を上記の一対のワッシャ３４及び弾性体３５を貫通させると共に、上記の上段部３２ｂに設けられた取付穴３２ｃ及び上段部３２ｂの下面に取り付けた当止め材３７を通してデッキボード１１にネジ止めさせ、上記の当止め材３７がデッキボード１１と僅かな間隔を介するようにして取り付けている。なお、この実施形態においては、上記の取付穴３２ｃを大きくして取付部材３０をパレット１０上で移動できるようにし、上記の機器取付部３１が機器２０に適切にセットされる位置に取付部材３０をパレット１０上で移動させて、パレット取付部３２を上記のようにしてデッキボード１１に取り付けるようにしている。
【００１５】
そして、このようにして機器２０を取付部材３０によりパレット１０上に取り付けると、機器２０を持ち上げる方向の衝撃力が作用した場合には、上記の弾性体３５が収縮して機器２０や取付部材３０に加わる衝撃が緩和されると共に、この弾性体３５により機器２０を押し下げる方向の力が作用し、機器２０が大きく浮き上がるのが防止されるようになる。
【００１６】
一方、機器２０を押し下げる方向の衝撃力が作用した場合には、上記の弾性体３５が伸張して機器２０や取付部材３０に加わる衝撃が緩和されると共に、この弾性体３５により機器２０を引き上げる方向の力が作用し、また上記の上段部３２ｂの下面に取り付けた当止め材３７がパレット１０のデッキボード１１に当接し、上記の機器２０が大きく押し下げられるのが防止されるようになる。
【００１７】
さらに、機器２０がパレット１０上において傾いた場合においても、上記の弾性体３５の片側が収縮する一方、反対側が伸張して、取付部材３０に大きな曲げ力が作用するのが抑制されると共に、上記の弾性体３５の弾性復帰力によって機器２０がパレット１０上において大きく傾くのが防止されるようになる。
【００１８】
この結果、機器２０をパレット１０上に取り付けた状態で、大きな振動や衝撃が加わった場合にも、機器２０が大きく揺動するのが抑制されると共に、機器２０をパレット１０上に取り付ける取付部材３０や、取付部材３０を取り付けた機器１０の取付部分などが変形したり、破損したりするのも防止されるようになる。
【００１９】
なお、この実施形態においては、取付部材３０におけるパレット取付部３２の上段部３２ｂの下に当止め材３７を設けて、機器２０が大きく押し下げられるのを防止するようにしたが、この当止め材３７に代えて、図７に示すように、パレット取付部３２の上段部３２ｂの下面とパレット１０のデッキボード１１との間に、コイルスプリングや環状ゴム体などからなる弾性体３８を設けることも可能である。
【００２０】
そして、このようにパレット取付部３２の上段部３２ｂとパレット１０のデッキボード１１との間に弾性体３８を設けると、この弾性体３８の伸縮によって機器２０に加わる衝撃がより一層抑制され、機器２０が大きく揺動したり、機器２０をパレット１０上に取り付ける取付部材３０や、取付部材３０を取り付けた機器１０の取付部分などが変形したり、破損したりするのが、より一層防止されるようになる。
【００２１】
（実施形態２）
実施形態２においては、図８及び図９に示すように、上記の実施形態１の場合と、パレット１０上面に設けられたデッキボード１１に機器２０を取り付ける取付部材４０を変更し、それ以外は、実施形態１のものと同様にした。
【００２２】
ここで、この実施形態においては、取付部材４０における機器取付部材４１を取付ネジ４１ａによって機器２０の下部に取り付けると共に、取付部材３０におけるパレット取付部材４２を取付ネジ４２ａによってパレット１０のデッキボード１１上に取り付け、連結部材４３の一端における取付部４３ａを上記の機器取付部材４１に回動可能に取り付けると共に、この連結部材４３の他端をパレット取付部材４２に通してナット４３ｂで取り付けるようにしている。
【００２３】
そして、この連結部材４３の中間位置において、ゴムなどで構成された弾性体４４を保持する弾性体保持部材４５を取付ネジ４５ａによってパレット１０のデッキボード１１上に取り付け、この弾性体保持部材４５に保持された弾性体４４によって上記の連結部材４３の中間部分を挟むようにして保持させるようにした。
【００２４】
そして、このようにして機器２０を取付部材４０によりパレット１０上に取り付けると、機器２０を持ち上げる方向の衝撃力が作用した場合に、上記の連結部材４３の中間部分を挟むようにして保持している弾性体４４の伸縮によって機器２０や取付部材３０に加わる衝撃が緩和されると共に、この弾性体４４により機器２０を押し下げる方向の力が作用し、機器２０が大きく浮き上がるのが防止されるようになる。
【００２５】
また、機器２０を押し下げる方向の衝撃力が作用した場合にも、上記の弾性体４４の伸縮によって機器２０や取付部材３０に加わる衝撃が緩和されると共に、この弾性体４４により機器２０を押し上げる方向の力が作用し、機器２０が大きく押し下げられるのが防止されるようになる。
【００２６】
また、機器２０に取り付けた機器取付部材４１に連結部材４３の一端における取付部４３ａを回動可能に取り付けているため、機器２０がパレット１０上において傾いた場合においても、上記の機器取付部材４１と連結部材４３の取付部４３ａとの間に大きな曲げ力が作用するのが抑制されるようになる。
【００２７】
この結果、この実施形態２においても、上記の実施形態１の場合と同様に、機器２０をパレット１０上に取り付けた状態で、大きな振動や衝撃が加わった場合にも、機器２０が大きく振動するのが抑制されると共に、機器２０をパレット１０上に取り付ける取付部材４０や、取付部材４０を取り付けた機器１０の取付部分などが変形したり、破損したりするのも防止されるようになる。
【図面の簡単な説明】
【００２８】
【図１】本発明の実施形態１に係るパレットへの機器取付構造において、パレット上面に設けられたデッキボードに各種の板材を取り付けて支持弾性部材を装着させるための装着部を形成した状態を示した概略斜視図である。
【図２】上記の実施形態１に係るパレットへの機器取付構造において、パレット上面のデッキボードに設けられ装着部に支持弾性部材を装着させた状態を示した概略平面図である。
【図３】上記の実施形態１に係るパレットへの機器取付構造において、底部にキャスタからなる支持脚部が４つ設けられた機器を示した概略底面図である。
【図４】上記の実施形態１に係るパレットへの機器取付構造において、機器の底部に設けられた支持脚部をパレット上面のデッキボードに装着された支持弾性部材の上に載置させた状態を示した部分断面説明図である。
【図５】上記の実施形態１に係るパレットへの機器取付構造において、パレット上面のデッキボード上に載置させた機器を取付部材によってパレットに取り付ける状態を示した概略斜視図である。
【図６】上記の実施形態１に係るパレットへの機器取付構造において、パレット上面のデッキボード上に載置させた機器を取付部材によってパレットに取り付けた状態を示した部分断面説明図である。
【図７】上記の実施形態１に係るパレットへの機器取付構造の変更例において、パレット上面のデッキボード上に載置させた機器を取付部材によってパレットに取り付けた状態を示した部分断面説明図である。
【図８】本発明の実施形態２に係るパレットへの機器取付構造において、パレット上面のデッキボード上に載置させた機器を取付部材によってパレットに取り付けた状態を示した概略部分斜視図である。
【図９】上記の実施形態２に係るパレットへの機器取付構造において、パレット上面のデッキボード上に載置させた機器を取付部材によってパレットに取り付けた状態を示した部分断面説明図である。
【符号の説明】
【００２９】
１０  パレット
１１  デッキボード
１２  板材
１３  支持弾性部材
１４  装着部
２０  機器
２１  支持脚部
３０  取付部材
３１  機器取付部
３２  パレット取付部
３２ａ  下段部
３２ｂ  上段部
３２ｃ  取付穴
３３  取付ネジ
３４  ワッシャ
３５  弾性体
３６  取付ボルト
３７  当止め材
３８  弾性体
４０  取付部材
４１  機器取付部材
４１ａ  取付ネジ
４２  パレット取付部材
４２ａ  取付ネジ
４３  連結部材
４３ａ  取付部
４３ｂ  ナット
４４  弾性体
４５  弾性体保持部材
４５ａ  取付ネジ
【図１】
2008195425.tif 000003
【図２】
2008195425.tif 000004
【図３】
2008195425.tif 000005
【図４】
2008195425.tif 000006
【図５】
2008195425.tif 000007
【図６】
2008195425.tif 000008
【図７】
2008195425.tif 000009
【図８】
2008195425.tif 000010
【図９】
2008195425.tif 000011